【手続補正書】
【提出日】平成20年8月1日(2008.8.1)
【手続補正１】
【補正対象書類名】明細書
【補正対象項目名】特許請求の範囲
【補正方法】変更
【補正の内容】
【特許請求の範囲】
【請求項１】  第２のタイプのデータが第１のタイプのデータにパンクチャされ、前記第１のタイプのデータの送信エネルギが前記第１のタイプのデータのレートにしたがって変化し、前記第２のタイプのデータの送信エネルギが前記第１のタイプのデータのレートにしたがって変化しない、前記第１のタイプのデータと前記第２のタイプのデータとを送信する送信機を含む通信システム中の、前記第１のタイプのデータと前記第２のタイプのデータとの送信エネルギを制御する電力制御システムにおいて、
前記第１のタイプのデータと前記第２のタイプのデータとを受信する受信機手段と、
前記第２のタイプのデータを前記第１のタイプのデータから分離するデマルチプレクサ手段と、
前記第２のタイプのデータのエネルギを測定して、前記受信機手段で受信された前記第２のタイプのデータのエネルギの表示を提供する手段と、
前記第２のタイプのデータのエネルギの表示を受け取り、前記第２のタイプのデータのエネルギの表示にしたがって、前記第１のタイプのデータの送信エネルギに対する電力制御コマンドを発生させる電力制御プロセッサ手段とを具備する電力制御システム。
【請求項２】  前記第１のタイプのデータが可変レートトラフィックデータを構成し、前記第２のタイプのデータが電力制御コマンドを構成する請求項１記載の電力制御システム。
【請求項３】  複数の前記電力制御コマンドをフィルタリングして、前記電力制御コマンドの受信エネルギの改善された推定値を提供するフィルタ手段をさらに具備する請求項２記載の電力制御システム。
【請求項４】  前記電力制御コマンドのエネルギを調整して、１組の以前に送信された電力制御コマンドに応答して前記送信機でなされたエネルギ調整を補償する電力制御ビットプロセッサをさらに具備する請求項３記載の電力制御システム。
【請求項５】  前記電力制御ビットプロセッサは、前記送信機によって応答された電力制御コマンドの最も可能性があるシーケンスをさらに推定する請求項４記載の電力制御システム。
【請求項６】  前記電力制御ビットプロセッサが前記送信機により受信された電力制御コマンドを推定し、前記受信電力制御コマンドのエネルギを調整して、前記送信機により受信された電力制御コマンドの前記推定に応答して前記送信機でなされたエネルギ調整を補償する請求項５記載の電力制御システム。
【請求項７】  前記電力制御ビットプロセッサが、
前記受信電力制御コマンドの受信エネルギの変化を、前記１組の以前に送信された電力制御コマンドに基づくそれらのコマンドの予想された変化と比較することと、
前記以前に送信された電力制御コマンドに対する疑わしい応答を識別することと、
前記識別された疑わしい応答にしたがって受信電力制御コマンドの１組の仮定をテストすることとによって、
前記送信機によって応答された電力制御コマンドの前記最も可能性があるシーケンスを推定する請求項６記載の電力制御システム。
【請求項８】  前記第１のタイプのデータが可変レートトラフィックデータを構成する請求項１記載の電力制御システム。
【請求項９】  複数の受信フレームに対して１組の前記第２のタイプのデータをフィルタリングして、前記第２のタイプのデータの受信エネルギの改善された推定値を提供するフィルタ手段をさらに具備する請求項８記載の電力制御システム。
【請求項１０】  前記第２のタイプのデータのエネルギを調整して、１組の以前に送信された電力制御コマンドに応答して前記送信機でなされたエネルギ調整を補償するプロセッサ手段をさらに具備する請求項９記載の電力制御システム。
【請求項１１】  前記プロセッサ手段が、前記送信機によって応答された最も可能性がある電力制御コマンドのシーケンスをさらに推定する請求項１０記載の電力制御システム。
【請求項１２】  前記プロセッサ手段が前記送信機によって受信された電力制御コマンドを推定し、複数の受信フレームに対して前記１組の第２のタイプのデータのエネルギを調整して、前記送信機によって受信された電力制御コマンドの前記推定に応答して前記送信機でなされたエネルギ調整を補償する請求項１１記載の電力制御システム。
【請求項１３】  前記電力制御プロセッサが、
前記受信電力制御コマンドの受信電力エネルギの変化を、前記１組の以前に送信された電力制御コマンドに基づくそれらのコマンドの予想された変化と比較することと、
前記以前に送信された電力制御コマンドに対する疑わしい応答を識別することと、
前記識別された疑わしい応答にしたがって受信電力制御コマンドの１組の仮定をテストすることとによって、
前記送信機によって応答された電力制御コマンドの前記最も可能性があるシーケンスを推定する請求項１２記載の電力制御システム。
【請求項１４】  複数の前記電力制御コマンドをフィルタリングして、前記電力制御コマンドの受信エネルギの改善された推定値を提供するフィルタ手段をさらに具備し、
前記フィルタ手段は、等式：
【数１】
2002536868.tif 000001
にしたがってフィルタされた電力制御ビットエネルギを発生させ、Ｔiはｉ番目の電力制御グループに対するトラフィックエネルギであり、Ｐiはｉ番目の電力制御グループの電力制御ビットエネルギであり、βは重み付け関数である請求項２記載の電力制御システム。
【請求項１５】  前記重み付け関数βiが等式：
【数２】
2002536868.tif 000002
にしたがって決定される請求項１４記載の電力制御システム。
【請求項１６】  第２のタイプのデータが第１のタイプのデータにパンクチャされ、前記第１のタイプのデータの送信エネルギが前記第１のタイプのデータのレートにしたがって変化し、前記第２のタイプのデータの送信エネルギが前記第１のタイプのデータのレートにしたがって変化しない、前記第１のタイプのデータと前記第２のタイプのデータとを送信する送信機を含む通信システム中で、前記第１のタイプのデータと前記第２のタイプのデータとの送信エネルギを制御する方法において、
前記第１のタイプのデータと前記第２のタイプのデータとを受信することと、
前記第２のタイプのデータを前記第１のタイプのデータからデマルチプレクスすることと、
前記第２のタイプのデータのエネルギを測定して、測定されたエネルギを形成することと、
前記測定されたエネルギにしたがって、前記第１のタイプのデータの送信エネルギに対する電力制御コマンドを発生させることとを含む方法。
【請求項１７】  前記第１のタイプのデータが可変レートトラフィックデータを構成し、前記第２のタイプのデータが電力制御コマンドを構成する請求項１６記載の方法。
【請求項１８】  複数の前記電力制御コマンドの測定されたエネルギをフィルタリングして、前記電力制御コマンドの受信エネルギの改善された推定値を提供することをさらに含む請求項１７記載の方法。
【請求項１９】  前記電力制御コマンドのエネルギを調整して、１組の以前に送信された電力制御コマンドに応答して前記送信機でなされたエネルギ調整を補償することをさらに含む請求項１８記載の方法。
【請求項２０】  前記送信機によって応答された電力制御コマンドの最も可能性があるシーケンスを推定することを含む請求項１９記載の方法。
【請求項２１】  前記送信機により受信された電力制御コマンドの前記推定値に応答して前記送信機でなされたエネルギ調整を補償することをさらに含む請求項２０記載の方法。
【請求項２２】  前記送信機により応答された電力制御コマンドの最も可能性があるシーケンスを推定することは、
前記受信電力制御コマンドの受信エネルギの変化を、前記１組の以前に送信された電力制御コマンドに基づくそれらのコマンドの予想された変化と比較することと、
前記以前に送信された電力制御コマンドに対する疑わしい応答を識別することと、
前記識別された疑わしい応答にしたがって受信電力制御コマンドの１組の仮定をテストすることとを含む請求項２１記載の方法。
【請求項２３】  前記第１のタイプのデータが可変レートトラフィックデータを構成する請求項１６記載の方法。
【請求項２４】  複数の受信フレームに対して１組の前記第２のタイプのデータをフィルタリングして、前記第２のタイプのデータの受信エネルギの改善された推定値を提供することを含む請求項２３記載の方法。
【請求項２５】  前記第２のタイプのエネルギを調整して、１組の以前に送信された電力制御コマンドに応答して前記送信機でなされたエネルギ調整を補償することを含む請求項２４記載の方法。
【請求項２６】  前記送信機によって応答された最も可能性がある電力制御コマンドのシーケンスをさらに推定することを含む請求項２５記載の方法。
【請求項２７】  前記送信機によって受信された電力制御コマンドを推定することと、
複数の受信フレームに対して前記１組の第２のタイプのデータのエネルギを調整して、前記送信機によって受信された電力制御コマンドの前記推定値に応答して前記送信機でなされたエネルギ調整を補償することとを含む請求項２６記載の方法。
【請求項２８】  前記送信機によって受信された電力制御コマンドを推定することが、
前記受信電力制御コマンドの受信電力エネルギの変化を、前記１組の以前に送信された電力制御コマンドに基づくそれらのコマンドの予想された変化と比較することと、
前記以前に送信された電力制御コマンドに対する疑わしい応答を識別することと、
前記識別された疑わしい応答にしたがって受信電力制御コマンドの１組の仮定をテストすることとを含む請求項２７記載の方法。
【請求項２９】  複数の前記電力制御コマンドをフィルタリングして、前記電力制御コマンドの受信エネルギの改善された推定値を提供することをさらに含み、前記フィルタリングすることは、以下の等式：
【数３】
2002536868.tif 000003
にしたがって、フィルタされた電力制御ビットエネルギを発生させ、ここでＴiはｉ番目の電力制御グループに対するトラフィックエネルギであり、Ｐiはｉ番目の電力制御グループの電力制御ビットエネルギであり、βは重み付け関数である請求項１７記載の方法。
【請求項３０】  前記重み付け関数βが等式：
【数４】
2002536868.tif 000004
にしたがって決定される請求項２９記載の方法。